【手続補正書】
【提出日】平成25年8月1日(2013.8.1)
【手続補正１】
【補正対象書類名】特許請求の範囲
【補正対象項目名】全文
【補正方法】変更
【補正の内容】
【特許請求の範囲】
【請求項１】
リスニングゾーン内で、改善された音像でマルチチャネル音声を再生するためのラウドスピーカシステムであって、前記ラウドスピーカシステムは、
前記リスニングゾーンに対する第１の位置に設置されるための第１のスピーカアレイと、
前記リスニングゾーンに対する第２の位置に設置されるための第２のスピーカアレイとを含み、
前記第１のスピーカアレイは、前記マルチチャネル音声の第１の音声を放射するための第１の放射ローブと、前記第１の音声を遅延させたバージョンを放射するための少なくとも第２の放射ローブとを含み、
前記第２のスピーカアレイは、前記マルチチャネル音声の第２の音声を放射するための第１の放射ローブと、前記第２の音声を遅延させたバージョンを放射するための少なくとも第２の放射ローブとを含み、
前記ラウドスピーカシステムは、
各々の放射ローブに関連付けられた放射または極性パターンを変更するための手段をさらに含み、
前記リスニングゾーン内の実質的に全ての位置で、前記第１および第２のアレイからの音声の放射を、実質的に等しい到着時間で受けるように、
前記第１および第２のアレイから実質的に等距離にあるリスニングポジションでは、前記第２のローブ同士からの、または、前記第１のローブ同士からの放射を受けて、前記第１および第２のアレイから実質的に等距離にはないリスニングポジションでは、一方のアレイの前記第１のローブと、他方のアレイの前記第２のローブとの両方からの放射を受けるように、
前記システムが構成される、ラウドスピーカシステム。
【請求項２】
前記第１のスピーカアレイは前記リスニングゾーンに対して左前の位置に設置され、前記第２のスピーカアレイは前記リスニングゾーンに対して右前の位置に設置される、請求項１に記載のラウドスピーカシステム。
【請求項３】
前記第１のスピーカアレイは前記リスニングゾーンに対して左下の位置に設置され、前記第２のスピーカアレイは前記リスニングゾーンに対して左上の位置に設置される、請求項１に記載のラウドスピーカシステム。
【請求項４】
前記第１のスピーカアレイは前記リスニングゾーンに対して右下の位置に設置され、前記第２のスピーカアレイは前記リスニングゾーンに対して右上の位置に設置される、請求項１に記載のラウドスピーカシステム。
【請求項５】
前記マルチチャネル音声は、頭部伝達関数（ＨＲＴＦ）フィルタを通して再生された音声を含む、先行する請求項１〜４のいずれか１項に記載のラウドスピーカシステム。
【請求項６】
前記第１のスピーカアレイは、前記第１の音声のより遅延させたバージョンを放射するための第３の放射ローブを含み、前記第２のスピーカアレイは、前記第２の音声のより遅延させたバージョンを放射するための第３の放射ローブを含む、先行する請求項１〜５のいずれか１項に記載のラウドスピーカシステム。
【請求項７】
ホームシアターのような部屋内のリスニングゾーンのためのラウドスピーカシステムであって、前記リスニングゾーンは、平面表現における、概念的な前端および後端と、概念的な右側および左側とを含み、前記ラウドスピーカシステムは、
第１および第２のスピーカのアレイを含み、各々のスピーカのアレイは、別々の、少な
くとも第１および第２の音声放射ローブを含み、
前記第１のスピーカアレイの前記第１の音声放射ローブが、前記リスニングゾーンの前記前端および前記後端の間の実質的に中途にある、前記リスニングゾーンの概ね前記右側にある領域内の位置に向けられるように、かつ、前記第２の音声放射ローブが、前記リスニングゾーンの前記前端および前記後端の間の実質的に中途にある、前記左側から、前記右側と前記左側との間の距離の概ね約１／４離れた領域内の位置に向けられるように、前記第１のスピーカのアレイは、前記部屋の左前の位置に設置可能であって、それによって、その位置から垂直な、前記前端または前記後端への線が、前記リスニングゾーンの前記概念的な左側を概ね規定し、
前記第２のスピーカアレイの前記第１の音声放射ローブが、前記リスニングゾーンの前記前端および前記後端の間の実質的に中途にある、前記リスニングゾーンの概ね前記左側にある領域内の位置に向けられるように、かつ、前記スピーカアレイの前記第２の音声放射ローブが、前記リスニングゾーンの前記前端および前記後端の間の実質的に中途にある、前記右側から、前記右側と前記左側との間の距離の概ね約１／４離れた領域内の位置に向けられるように、前記第２のスピーカのアレイは、前記部屋の右前の位置に設置可能であって、それによって、その位置から垂直な、前記前端または前記後端への線が、前記リスニングゾーンの前記概念的な右側を概ね規定し、
前記第１のスピーカアレイの前記第１の音声放射ローブに関連付けられた放射または極性パターンは、それが、リスニングゾーン内のより低い音圧レベルで、前記リスニングゾーンの前記前端および前記後端の間の実質的に中途にある、前記右側から、前記右側と前記左側との間の距離の概ね約３／４にある位置を通る前記第１のスピーカアレイからの直線と、前記リスニングゾーンの前記右側との間に規定された領域で受けられるように変更され、
前記第２のスピーカアレイの前記第１の放射ローブに関連付けられた放射または極性パターンは、それが、リスニングゾーン内のより低い音圧レベルで、前記リスニングゾーンの前記前端および前記後端の間の実質的に中途にある、前記左側から、前記左側と前記右側との間の距離の概ね約３／４にある位置を通る前記第２のスピーカアレイからの直線と、前記リスニングゾーンの前記左側との間に規定された領域で受けられるように変更される、ラウドスピーカシステム。
【請求項８】
各々のスピーカアレイは、前記第１の音声放射ローブに関連付けられた前記放射または極性パターンを変更するための手段を含む、請求項７に記載のラウドスピーカシステム。
【請求項９】
各々のスピーカアレイは、増幅器および時間遅延回路に関連付けられ、
前記増幅器は、第１のスピーカアレイから、前記リスニングゾーン内の任意の位置におけるリスナーに届く音の音圧レベルが、前記第２のスピーカアレイから前記同じリスナーに届く音の音圧レベルに実質的に等しくなるようにゲインを与えるように調整可能であり、
各々のアレイに関連付けられた前記時間遅延回路は、前記第１および第２のスピーカのアレイから前記リスニングゾーン内の前記任意の位置における前記リスナーに向けられた、一致する音が、実質的に等しい到着時間で前記リスナーに届くように、そのアレイの少なくとも１つの他の放射ローブに沿って伝達された音に対して時間遅延させられた、アレイの少なくとも１つの放射ローブに沿って伝達した音を与えるように調整可能である、請求項７または請求項８に記載のラウドスピーカシステム。
【請求項１０】
各々のアレイの前記第２の放射ローブは、各々のアレイの前記第１の放射ローブに対して音声の伝達における遅延を与えるための信号遅延回路に関連付けられる、請求項９に記載のラウドスピーカシステム。
【請求項１１】
前記放射または極性パターンを変更するための前記手段は、少なくとも１つの音声分離
または反射部材を含む、請求項１〜６および請求項８〜１０のうちのいずれか１項に記載のラウドスピーカシステム。
【請求項１２】
前記音声分離または反射部材は、前記リスニングゾーンへと突き出るフラップを含む、請求項１１に記載のラウドスピーカシステム。
【請求項１３】
前記放射または極性パターンを変更するための前記手段は、各々のスピーカアレイと関連付けられたエンクロージャを成形するための手段を含む、請求項１〜６および請求項８〜１０のうちのいずれか１項に記載のラウドスピーカシステム。
【請求項１４】
各々の放射ローブに関連付けられた音圧レベルを調整するための手段を含む、先行する請求項１〜１３のいずれか１項に記載のラウドスピーカシステム。
【請求項１５】
各々のスピーカのアレイは少なくとも２つのスピーカパネルを含み、それらのうちの一方は、前記第１の音声放射ローブを与え、他方は、前記第２の音声放射ローブを与える、先行する請求項１〜１４のいずれか１項に記載のラウドスピーカシステム。
【請求項１６】
各々のスピーカのアレイは３つのスピーカパネルを含み、各々のアレイの最も内側のスピーカパネルは、前記第１の音声放射ローブを与え、各々のアレイの最も外側の２つのスピーカパネルは、組み合わさって、前記第２の音声放射ローブを与える、請求項１〜６のいずれか１項に記載のラウドスピーカシステム。
【請求項１７】
各々のアレイの前記スピーカパネルは、中域から高域の周波数において相対的に狭い放射または極性パターンを含む、請求項１５または請求項１６に記載のラウドスピーカシステム。
【請求項１８】
各々のアレイの前記最も内側のスピーカパネルは、静電スピーカパネルを含む、請求項１６または１７に記載のラウドスピーカシステム。
【請求項１９】
各々のアレイのすべてのスピーカパネルは、静電スピーカパネルを含む、請求項１５〜１８のいずれか１項に記載のラウドスピーカシステム。
【請求項２０】
等距離にないリスニングポジションに対する前記時間遅延（Ｔｄ）は、Ｔｄ＝（Ｄｎ−Ｄｆ）／ｖとの式によって得られ、Ｄｎは、前記等距離にないリスニングポジションから、より近いスピーカアレイへの距離であり、Ｄｆは、前記等距離にないリスニングポジションから、より遠いスピーカアレイへの距離であり、ｖは音声の速度である、請求項１〜６および請求項９〜１０のうちのいずれか１項に記載のラウドスピーカシステム。
【請求項２１】
２つのさらなるスピーカアレイを備え、各々のさらなるアレイは、別々な第１および第２の音声放射ローブを有し、一方の前記さらなるスピーカアレイは、前記リスニングゾーンの右後ろの位置に配置可能であり、他方の前記さらなるスピーカアレイは、前記リスニングゾーンの左後ろの位置に配置可能であり、各々のさらなるスピーカアレイの前記第１の音声放射ローブに関連付けられた放射または極性パターンが変更され、前記さらなるスピーカアレイは、それらの音声放射ローブが、前記リスニングゾーンに向けられ、前記変更された放射または極性パターンが、同様に適宜変更されて前スピーカアレイへと向けられるように、前記リスニングゾーンの後ろの位置に配置可能である、先行する請求項１〜２０のいずれか１項に記載のラウドスピーカシステム。
【請求項２２】
先行する請求項１〜２１のいずれか１項に記載のラウドスピーカシステムのためのラウドスピーカアレイであって、
一方のスピーカパネルが第１の音声放射ローブを与え、他方のスピーカパネルが第２の音声放射ローブを与えるように、隣り合って配置された２つのスピーカパネルを含む、ラウドスピーカアレイ。
【請求項２３】
隣り合って配置された３つのスピーカパネルを含み、各々のアレイの最も内側のスピーカパネルは第１の音声放射ローブを与え、各々のアレイの最も外側の２つのスピーカパネルは、組み合わさって、第２の音声放射ローブを与える、請求項２２に記載のラウドスピーカアレイ。
【請求項２４】
前記第１の音声放射ローブに関連付けられた前記放射または極性パターンを変更するための手段を含む、請求項２２または請求項２３に記載のラウドスピーカアレイ。
【請求項２５】
前記放射または極性パターンを変更するための前記手段は、音響的不透明部材を含む、請求項２４に記載のラウドスピーカアレイ。
【請求項２６】
前記音響的不透明部材は、前記アレイから前記リスニングゾーンに突き出る音声分離フラップを含む、請求項２５に記載のラウドスピーカアレイ。
【請求項２７】
前記第１の音声放射ローブに関連付けられた前記放射または極性パターンは、各々のスピーカパネルに関連付けられたエンクロージャを成形することによって変更される、請求項２２または請求項２３に記載のラウドスピーカアレイ。
【請求項２８】
各々のスピーカパネルは、中域から高域の周波数において相対的に狭い放射または極性パターンを含む、請求項２２〜２７のいずれか１項に記載のラウドスピーカアレイ。
【請求項２９】
各々のアレイの前記最も内側のスピーカパネルは、静電スピーカパネルを含む、請求項２２〜２８のいずれか１項に記載のラウドスピーカアレイ。
【請求項３０】
前記アレイの全てのスピーカパネルは、静電スピーカパネルを含む、請求項２２〜２９のいずれか１項に記載のラウドスピーカアレイ。
【請求項３１】
前記アレイのスピーカパネルに関連付けられた増幅器と、前記第２の音声放射ローブに関連付けられたスピーカパネルのための信号遅延回路であって、そのローブに関連付けられた音声伝達における遅延を与えるための前記信号遅延回路とを含む、請求項２２〜３０のいずれか１項に記載のラウドスピーカアレイ。
【請求項３２】
リスニングゾーン内で、改善された音像でマルチチャネル音声を再生するためのラウドスピーカシステムであって、前記ラウドスピーカシステムは、
前記リスニングゾーンに対する左前の位置に設置されるための左スピーカクラスタを備え、前記左スピーカクラスタは、前記リスニングゾーンに対する左下の位置に配置された第１のスピーカアレイと、前記リスニングゾーンに対する左上の位置に配置された第２のスピーカアレイとを含み、
前記ラウドスピーカシステムは、
前記リスニングゾーンに対する右前の位置に設置されるための右スピーカクラスタをさらに備え、前記右スピーカクラスタは、前記リスニングゾーンに対する右下の位置に配置された第３のスピーカアレイと、前記リスニングゾーンに対する右上の位置に配置された第４のスピーカアレイとを含み、
各々の左スピーカアレイは、前記マルチチャネル音声の第１の音声を放射するための第１の放射ローブと、前記第１の音声を遅延させたバージョンを放射するための少なくとも第２の放射ローブとを含み、
各々の右スピーカアレイは、前記マルチチャネル音声の第２の音声を放射するための第１の放射ローブと、前記第２の音声を遅延させたバージョンを放射するための少なくとも第２の放射ローブとを含み、
前記ラウドスピーカシステムは、
各々の放射ローブに関連付けられた放射または極性パターンを変更するための手段をさらに備え、
前記リスニングゾーン内の実質的に全ての位置で、前記アレイからの音声の放射を、実質的に等しい到着時間で受けるように、
前記左クラスタおよび前記右クラスタから実質的に等距離にあるリスニングポジションでは、前記左クラスタまたは前記右クラスタに関連付けられた、遅延した放射ローブまたは遅延していない放射ローブからの音声放射を受けて、前記左クラスタおよび前記右クラスタから実質的に等距離にはないリスニングポジションでは、前記左クラスタまたは前記右クラスタに関連付けられた、遅延した放射ローブおよび遅延していない放射ローブの両方からの音声放射を受けるように、
前記下側のスピーカアレイまたは前記上側のスピーカアレイから実質的に等距離にあるリスニングポジションでは、前記上側のアレイまたは前記下側のアレイに関連付けられた、遅延した放射ローブまたは遅延していない放射ローブからの音声放射を受けて、前記下側のスピーカアレイまたは前記上側のスピーカアレイから実質的に等距離にはないリスニングポジションでは、前記上側のアレイおよび前記下側のアレイに関連付けられた、遅延した放射ローブおよび遅延していない放射ローブの両方からの音声放射を受けるように、
前記システムが構成される、ラウドスピーカシステム。
【手続補正２】
【補正対象書類名】明細書
【補正対象項目名】００３２
【補正方法】変更
【補正の内容】
【００３２】
図２Ｂを参照して、左スピーカアレイ（ＬＳＡ）２２と右スピーカアレイ（ＲＳＡ）２４とは、部屋の左前の位置および右前の位置にそれぞれ配置される。部屋は、リスニングゾーン１２を含む。リスニングゾーン１２におけるリスニングポジションの例がＰ１，Ｐ２およびＰ３によって示される。明確さのため、３つのポジションのみが参照されるが、他のリスニングポジションが、Ｐ１，Ｐ２およびＰ３の前または後ろにおいてリスニングゾーン１２に配置され得る。ＬＳＡ２２は、アレイの内側のスピーカパネル２２Ａと外側のスピーカパネル２２Ｂとにそれぞれ関連付けられた、別々な第１の音声放射ローブ（ＳＰＡ１Ｌ）２２と、第２の音声放射ローブ（ＳＰＡ２Ｌ）２８とを有する。ＲＳＡ２４は、アレイの内側のスピーカパネル２４Ａと外側のスピーカパネル２４Ｂとにそれぞれ関連付けられた、別々な第１の音声放射ローブ（ＳＰＡ１Ｒ）２６と第２の音声放射ローブ（ＳＰＡ２Ｒ）２８とを有する。左チャネル音声入力信号ＬＣ４４と右チャネル音声入力信
号ＲＣ４６とは増幅器４８によって増幅されて、それぞれＬＳＡ２２の内側のスピーカパネルおよび外側のスピーカパネルと、ＲＳＡ２４の内側のスピーカパネルおよび外側のスピーカパネルとに別々に与えられて、外側のスピーカパネル２２Ｂ，２４Ｂへの信号は時間遅延回路（ＴＤ）４９によって遅延させられる。ＬＣ４４およびＲＣ４６は、ＨＲＴＦフィルタ５１を介してプログラム源５０から取得され得る。
【手続補正３】
【補正対象書類名】明細書
【補正対象項目名】００５９
【補正方法】変更
【補正の内容】
【００５９】
下側スピーカアレイ９２は、静電パネルの下側の対９２Ａ／９２Ｂと上側の対９２Ｃ／９２Ｄとを含む。下側の静電パネル９２Ａ／９２Ｂは増幅器９６と時間遅延回路（ＴＤ）９７とに関連付けられる。上側の静電パネル９２Ｃ／９２Ｄは、増幅器９６と時間遅延回路（ＴＤ）９７とに関連付けられる。
【手続補正４】
【補正対象書類名】明細書
【補正対象項目名】００６３
【補正方法】変更
【補正の内容】
【００６３】
静電パネル９２Ａ／９２Ｂ，９４Ａ／９４Ｂと、関連する増幅器９６および時間遅延回路９７との配置および機能は、図２Ｂを参照して記述されるように、増幅器４８および時間遅延回路（ＴＤ）４９に関連付けられた、スピーカパネル２２Ａ／２２Ｂ，２４Ａ／２４Ｂの配置および機能に類似する。